(57)【要約】【課題】  導子セット２が縺れにくく施療の際のセッティングが楽である低周波治療器用導子セットを提供すること。【解決手段】低周波治療器１の導子セット２に、導子１２の吸着部１３と導子１２のコード１０又は接続部１４との間に形成される窪み部分１５に他のチャンネルのコード１０が入るのを防ぐ絡み防止構造２５が設けられ、絡み防止構造２５が、先プラグ９又はコード１０の先端付近に取着される低周波治療器用導子セットである。【選択図】図１
2005080781.tif 000002
【特許請求の範囲】
【請求項１】
低周波治療器（１）の導子セット（２）に、導子（１２）の吸着部（１３）と導子（１２）のコード（１０）又は接続部（１４）との間に形成される窪み部分（１５）に他のチャンネルのコード（１０）が入るのを防ぐ絡み防止構造（２５）が設けられたことを特徴とする低周波治療器用導子セット。
【請求項２】
絡み防止構造（２５）は、先プラグ（９）又はコード（１０）の先端付近に取着されることを特徴とする請求項１記載の低周波治療器用導子セット。
【請求項３】
絡み防止構造（２５）は、吸着部（１３）に取着されることを特徴とする請求項１記載の低周波治療器用導子セット。
【請求項４】
絡み防止構造（２５）は、着脱可能であることを特徴とする請求項１乃至３のいずれか１項に記載の低周波治療器用導子セット。
【発明の詳細な説明】
【技術分野】
【０００１】
本発明は、肩凝りや腰痛症を有する人間や機能障害を有する人間（＝以下患者という）の患部に電気治療を施す低周波治療器に係る低周波治療器用導子セットに関する。
【背景技術】
【０００２】
従来の技術は、突起、ストッパー、導子カバー、電極板、導体のパイプ、電極部等からなる低周波治療器用導子である。従来の技術は、導子カバーとパイプとの間にコードが入り、導子セット（＝導子と該導子に電流を導くコード）が縺れ易く、不都合であった。
【特許文献１】実登３０３０７２９号公報
【発明の開示】
【発明が解決しようとする課題】
【０００３】
一般に、多チャンネル出力の低周波治療器は２乃至１２チャンネルの出力部を有する。通常は一つの患部に３チャンネルを使用して治療する為、６個の導子を患部に装着するが、各導子にはそれぞれ１本のコードが接続される為、６本のコードが患部に接続される状態となる。この為、導子取り外し時や導子収納時はコードが絡まり易く、絡んだ場合は次回の治療時にこれを解く作業が必要となる。
この際、絡んだコードを引っ張りながら解くが、従来の導子及びコードの構造では、導子とコードの間に窪みが生じている為、コードを引っ張ると他のコード及び導子を吊上げてしまい、更に絡まるという状態が生じる。
本件発明が解決しようとする課題は、上述の導子とコードとの間に出来た窪みに他のチャンネルのコードが入り込み、相互に絡み合うコードと導子を解く作業に多くの労力と時間を費やすという点である。
更に、使用するチャンネル数が多い場合には、コードと導子とがより絡み易く、これに対する改善が望まれていた。
【課題を解決するための手段】
【０００４】
本発明の目的は、上記要望に応えたものであり、導子セット２が縺れにくく施療の際のセッティングが楽である低周波治療器用導子セットを提供することにある。
即ち本発明は、低周波治療器（１）の導子セット（２）に、導子（１２）の吸着部（１３）と導子（１２）のコード（１０）又は接続部（１４）との間に形成される窪み部分（１５）に他のチャンネルのコード（１０）が入るのを防ぐ絡み防止構造（２５）が設けられたことを特徴とする低周波治療器用導子セットである。
又、絡み防止構造（２５）は、先プラグ（９）又はコード（１０）の先端付近に取着される。
更に、絡み防止構造（２５）は、吸着部（１３）に取着される。
更に又、前記絡み防止構造（２５）は、着脱可能である。
【発明の効果】
【０００５】
本発明は、低周波治療器１の導子セット２に、導子１２の吸着部１３と該導子１２のコード１０又は接続部１４との間に形成される窪み部分１５に他のチャンネルのコード１０が入るのを防ぐ絡み防止構造２５が設けられたものであるから、コード１０が吸着部１３と接続部１４との間に形成される窪み部分に入らないので、他のチャンネルのコード１０が導子１２に絡まず、それ故に導子セット２が縺れず、施療の際、導子セット２を解く手数が要らず、施療者にとっては、患者に導子１２を装着する作業が行い易く、好都合である。
【０００６】
本発明は、絡み防止構造２５が、先プラグ９又はコード１０の先端付近に取着されたものであるから、安価に小型に製作でき、好都合である。
【０００７】
本発明は、絡み防止具２５が、吸着部１３に取着されたものであるから、コード１０が窪み部分１５に入るのを確実に防げ、好都合である。
【０００８】
本発明は、絡み防止構造２５を着脱可能にしたものであるから、当該絡み防止構造２５を、従来技術の導子又はコードへも取着することができ、取着した場合には導子とコードとが縺れ難くなり、好都合である。
【発明を実施するための最良の形態】
【０００９】
本発明の導子セット２の吸着部１３を患者の表皮に装着し、導子セット２のコード１０の基プラグ８を低周波治療器１に接続し、患者に低周波通電治療を施す。
導子セット２のコード１０の先部には導子１２が設けられ、該導子１２は患者に装着した上低周波治療器１から得た電流を該患者に付与する。
【００１０】
前記コード１０の基端には基プラグ８が設けられ、該基プラグ８は低周波治療器１のジャック６に差し込む。
基プラグ８は低周波治療器１が発生する治療用電力及び負圧を受け取る。
コード１０の先端に取着された先プラグ９と導子１２とを接続するコード１０は、基プラグ８から得た治療用電力及び負圧を導子１２へ導く。
【００１１】
前記導子１２の吸着部１３は、人体表皮に吸着する。
導子１２の接続部１４には、先プラグ９が接続される。接続部１４と吸着部１３の間にはＵ字形状の窪み部分１５が形成されている。
絡み防止構造２５は、前記コード１０の先端付近又は吸着部１３に設けられ、コード１０が前記窪み部分１５に入るのを防ぎ、導子セット２の縺れを防止する。
【００１２】
前記先プラグ９に形成されてなるプラグ付き絡み防止構造１７は、先プラグ９に取着され、先プラグ９から吸着部１３に向かって突出する突起片１８である。該突起片１８は前記窪み部分１５の入り口部分を塞ぎ、コード１０が前記窪み部分１５に入らないように作用する。
【００１３】
吸着部１３に取着されてなる吸着部付き絡み防止構造２４は、コード１０が窪み部分１５に入らないように窪み部分１５の入り口を塞ぐ。
【００１４】
絡み防止構造２５は、先プラグ９、コード１０、又は吸着部１３に着脱可能
に取着される。前記絡み防止構造２５を筒式絡み防止構造２９とした場合、該筒式絡み防止構造２９は、筒部３０と筒部３０に取着される突起片１８とからなり、前記筒部３０をコード１０の先部に被着する。筒部３０をコード１０に被着することにより、突起片１８が窪み部分１５の入り口を塞ぎ、窪み部分１５にコード１０が入らないように作用する。
【実施例１】
【００１５】
図１、２に本発明の実施例１を示している。
実施例１は、低周波電力及び負圧を発生する低周波治療器１と、低周波治療器１から得る低周波電力を患者の表皮に導く導子セット２からなる。
【００１６】
低周波治療器１には、複数チャンネルの低周波電力発生部３と、吸引ポンプ４と分岐体５と、筐体７側面に複数個（＝具体例では４個）列設され低周波電力及び負圧が懸かるジャック６とからなる。
【００１７】
導子セット２は、基プラグ８が基端に先プラグ９が先端に設けられたコード１０と、先プラグ９に接続される導子１２と、先プラグ９に設けられる絡み防止具２５とからなる。
基プラグ８はジャック６に差し込むものであり、基プラグ本体８ａにパイプ１９と導電体２０が平行に突設される。導電体２０は低周波治療器１の低周波電力を受けるものであり、パイプ１９は負圧を受けるものである。
【００１８】
コード１０は、可撓ホース２２と該可撓ホース２２内に収納される電線１１とからなる。
先プラグ９は、コード１０の先端に設けられるもので、先プラグ本体９ａにパイプ１９が突設されてなる。電線１１の先端はパイプ１９に接続される。
基プラグ８、先プラグ９及びコード１０は、空気用通路でなる可撓ホース２２及び管路２１と、管路２１内に配される電線１１とで構成され、負圧伝達作用と導電作用とを兼ねている。
【００１９】
導子１２は先プラグ９に接続される。導子１２は、吸着部１３と、接続部１４と、吸着部１３内に設けられる電極１６とからなる。
接続部１４は、電極１６に接続されるステンレスパイプでなり、先プラグ９のパイプ１９が差し込まれる。
【００２０】
先プラグ９に絡み防止構造２５（＝具体例ではプラグ付き絡み防止構造１７）が取着される。
前記プラグ付き絡み防止構造１７は、三角形状の板体でなり先プラグ９に突設される突起片１８である。突起片１８を先プラグ９から吸着部１３に向って突出する位置にして、先プラグ９を接続部１４に差し込むと、突起片１８が、吸着部１３に接近し、吸着部１３と接続部１４とで形成されたＵ字形状の窪み部分１５の入り口に位置し、当該入り口を塞ぎ、窪み部分１５にコード１０が入るのを防ぐ。
【００２１】
差し込んだ後には、低周波治療器１から得た負圧及び低周波電力がコード１０から導子１２へ伝達される。
図１中、２６は突起条、２７はパネル、２８はツマミである。
【００２２】
実施例１を使用する際は、先ず、導子セット２を準備する。通常、導子セット２に係る先プラグ９は導子１２の接続部１４に差し込まれている。
四組の導子セット２において、プラグ付き絡み防止構造１７の作用により、吸着部１３と接続部１４との間の窪み部分１５にコード１０は入らない。
【００２３】
先プラグ９が接続部１４に差し込まれていない場合は、前述のように、先プラグ９に設けられているプラグ付き絡み防止構造１７の突起片１８を、吸着部１３方向に位置させて、該プラグを接続部１４へ差し込む。
差し込み後の突起片１８が前記窪み部分１５の入り口に位置し該入り口を塞いでおり、コード１０が前記窪み部分１５へ入るのを防ぐ。結果として、コード１０が導子１２に絡まない。
【００２４】
低周波治療器１のジャック６に基プラグ８を差し込む。導電体２０による電気的な接続と、管路２１による負圧の接続とを同時に行なう。
次に、吸引ポンプ４を駆動させ、可撓ホース２２を介して吸着部１３に負圧を掛ける。
【００２５】
次に吸着部１３を患者に装着する。詳しくは、吸着部１３を患者の表皮に押し当てる。押し当てると吸着部１３が変形し、突起条２６と電極１６とのシールが解除され、負圧が吸着部１３内に及ぶ。吸着部１３と表皮とでなる空間が負圧になり、吸着部１３が表皮に吸着する。負圧により吸着した吸着部１３は自重では表皮から容易に離脱しない。
吸着状態下の吸着部１３ではその中に設けられた電極１６が患者の表皮に当接し、皮膚への通電が可能である。
【００２６】
次に、低周波電力発生部３を駆動させる。低周波電力発生部３が発生させる低周波電力が電線１１及び電極１６を経由して患者に付与され、電気治療が行なわれる。
【実施例２】
【００２７】
図３、４に示す実施例２は、実施例１におけるプラグ付き絡み防止構造１７を、吸着部付き絡み防止構造２４に代えたものである。
実施例２の吸着部付き絡み防止構造２４は、吸着部１３に止め具３１によって着脱可能に取着され、吸着部１３から接続部１４に向かって突設されてなり、接続部１４に差し込んだ先プラグ９に被さる逆Ｕ字片２３である。
【００２８】
吸着部付き絡み防止構造２４は、コード１０が接続部１４と吸着部１３の間の窪み部分１５に入るのを阻止し、コード１０が導子１２に絡むのを防ぎ、導子セット２の縺れを減らす。
【実施例３】
【００２９】
図５に示す実施例３は、実施例１におけるプラグ付き絡み防止構造１７を、筒式絡み防止構造２９に代えたものである。
実施例３の筒式絡み防止構造２９は、筒部３０と筒部３０に取着される突起片１８とからなり、前記筒部３０をコード１０の先部に被着し、被着後の突起片１８が窪み部分１５の入り口を塞ぎ、窪み部分１５にコード１０が入らないように作用する。尚、筒部３０を先プラグ９に被着してもよい。
【産業上の利用可能性】
【００３０】
本発明は、導子セット２が縺れにくく施療の際のセッティングが楽である低周波治療器用導子セットに適用できる。
【図面の簡単な説明】
【００３１】
【図１】本発明の実施例１の断面図である。
【図２】本発明の実施例１の導子の外観図である。
【図３】本発明の実施例２の導子の外観図である。
【図４】本発明の実施例２の断面図である。
【図５】本発明の実施例３の筒式絡み防止構造の断面図である。
【符号の説明】
【００３２】
１  低周波治療器
２  導子セット
９  先プラグ
１０  コード
１２  導子
１３  吸着部
１４  接続部
１５  窪み部分
１７  プラグ付き絡み防止構造
２４  吸着部付き絡み防止構造
２５  絡み防止構造
【図１】
2005080781.tif 000003
【図２】
2005080781.tif 000004
【図３】
2005080781.tif 000005
【図４】
2005080781.tif 000006
【図５】
2005080781.tif 000007